(57)【特許請求の範囲】
【請求項１】
インクジェット記録用インクセットを構成するインクジェット記録用水性インクの選択方法であって、
前記インクセットは、二種類以上の前記水性インクを含み、
前記二種類以上の水性インクは、イエローインク、マゼンタインクおよびシアンインクであり、
前記選択方法が、
温度３３℃、相対湿度８０％の環境下で、空隙型のレジンコート層を有する光沢紙に前記水性インクを用いて形成した幅が２、４、６、８、１０、１２、１４、１６、１８、２０、２２、２４、２６、２８および３０ドットのスリットが入った１５個のパッチを前記環境下で３日間保存した後、前記スリットが連続した白地のラインとして判定されるか否かを判定することで下記評価基準に従って決定した前記水性インクのマイグレーションレベルを測定する測定工程；
前記測定されたマイグレーションレベル相互間の最大差が５以下となるように、前記二種類以上の水性インクを選択する選択工程；を含むことを特徴とするインクジェット記録用水性インクの選択方法。
＜マイグレーションレベル評価基準＞
前記スリットが連続した白地のラインとして判定されれば、合格とする
レベル１：スリット幅２ドットのパッチで最初に合格となる
レベル２：スリット幅４ドットのパッチで最初に合格となる
レベル３：スリット幅６ドットのパッチで最初に合格となる
レベル４：スリット幅８ドットのパッチで最初に合格となる
レベル５：スリット幅１０ドットのパッチで最初に合格となる
レベル６：スリット幅１２ドットのパッチで最初に合格となる
レベル７：スリット幅１４ドットのパッチで最初に合格となる
レベル８：スリット幅１６ドットのパッチで最初に合格となる
レベル９：スリット幅１８ドットのパッチで最初に合格となる
レベル１０：スリット幅２０ドットのパッチで最初に合格となる
レベル１１：スリット幅２２ドットのパッチで最初に合格となる
レベル１２：スリット幅２４ドットのパッチで最初に合格となる
レベル１３：スリット幅２６ドットのパッチで最初に合格となる
レベル１４：スリット幅２８ドットのパッチで最初に合格となる
レベル１５：スリット幅３０ドットのパッチで最初に合格となる
レベル１６：スリット幅３０ドットのパッチでも合格とならない
【請求項２】
二種類以上のインクジェット記録用水性インクを含むインクジェット記録用インクセットの製造方法であって、
請求項１記載のインクジェット記録用水性インクの選択方法により、前記マイグレーションレベル相互間の最大差が５以下となるように、前記二種類以上の水性インクを予め選択しておき、
前記選択に従って、前記二種類以上の水性インクを組み合わせることを特徴とするインクジェット記録用インクセットの製造方法。
【発明の詳細な説明】
【技術分野】
【０００１】
本発明は、インクジェット記録用インクセット、インクジェット記録装置、インクジェット記録方法、インクジェット記録用水性インクの選択方法およびインクジェット記録用インクセットの製造方法に関する。
【背景技術】
【０００２】
インクジェット記録用水性インクは、被記録媒体への記録後に、前記記録部の周縁に着色剤が滲み出すマイグレーションという現象を起こす。前記マイグレーションは、高温高湿の環境下において特に起こりやすい。これに対し、高温高湿の環境下においてもマイグレーションが抑制された水性インクが各種提案されている（特許文献１〜３）。
【先行技術文献】
【特許文献】
【０００３】
【特許文献１】特開２００６−７０２５８号公報
【特許文献２】特開２００６−４５５４１号公報
【特許文献３】特開平１１−２１７５２９号公報
【発明の概要】
【発明が解決しようとする課題】
【０００４】
インクジェット記録では、二種類以上の水性インクを用いて、二次色の記録部を形成することがある。前記記録部は、高温高湿の環境下で、前記水性インクのマイグレーションの度合い（マイグレーションレベル）に応じて色合いが変わることがある。すなわち、高温高湿の環境下での前記二種類以上の水性インクのマイグレーションレベルに大きな差があると、前記記録部は、マイグレーションレベルの大きい水性インクの反対色が濃くなったように見える。例えば、イエローインク、マゼンタインクおよびシアンインクの３色の水性インクを用いてトリカラーブラックを記録する場合、高温高湿の環境下での前記マゼンタインクのマイグレーションレベルが他の２色の水性インクより大きいと、前記トリカラーブラック記録部は、マゼンタの反対色のグリーンが強くなり、緑がかった黒色に見える。また、前記トリカラーブラック記録部と非記録部との境界に、マゼンタが滲み出たようにもなる。
【０００５】
ところが、従来の水性インクには、マイグレーションレベルそのものを数値化して評価したものはなかった。このため、従来においては、高温高湿の環境下においても、二次色の記録部の色合いの変化を抑制可能な二種類以上の水性インクをマイグレーションレベル相互間の差に着目して選択したインクセットはなかった。
【０００６】
そこで、本発明は、二種類以上の水性インクのマイグレーションレベル相互間の差の大きさに着目することで、高温高湿の環境下においても、二次色の記録部の色合いの変化を抑制可能なインクジェット記録用インクセットを提供することを目的とする。
【課題を解決するための手段】
【０００７】
前記目的を達成するために、本発明のインクジェット記録用インクセットは、二種類以上のインクジェット記録用水性インクを含むインクジェット記録用インクセットであって、
前記二種類以上の水性インクのマイグレーションレベル相互間の最大差が、５以下であることを特徴とする。
【発明の効果】
【０００８】
本発明のインクジェット記録用インクセットでは、数値として測定された二種類以上の水性インクのマイグレーションレベル相互間の最大差が、５以下である。このため、本発明のインクジェット記録用インクセットによれば、二種類以上の水性インクを用いて二次色の記録部を形成する場合において、高温高湿の環境下においても前記記録部の色合いの変化を抑制可能である。
【図面の簡単な説明】
【０００９】
【図１】図１は、本発明におけるインクジェット記録用水性インクのマイグレーションレベルの測定方法を説明する図である。
【図２】図２は、本発明のインクジェット記録装置の構成の一例を示す概略斜視図である。
【発明を実施するための形態】
【００１０】
前記インクジェット記録用水性インク（以下、単に「インク」または「水性インク」と言うことがある）のマイグレーションレベルの測定方法について説明する。本発明において、前記水性インクのマイグレーションレベルは、つぎのようにして測定する。すなわち、まず、高温高湿（温度３３℃、相対湿度８０％）の環境下で、図１に示すように、被記録媒体（例えば、後述の光沢紙）に前記水性インクを吐出して、ベタ画像（解像度１２００ｄｐｉ×２４００ｄｐｉにおいて、３００％ｄｕｔｙ）を２分割するように、後述の図２に示したインクジェット記録装置のキャリッジの移動方向に沿ったスリット（非記録部）が入った１５個のパッチを記録し、評価用サンプルを作製する。前記３００％ｄｕｔｙのベタ画像は、例えば、後述の図２に示したインクジェット記録装置の４つのインクカートリッジのうちの３つ（イエローインク用、マゼンタインク用およびシアンインク用のインクカートリッジ）を、同じ水性インクが充填されたインクカートリッジとし、前記３つのインクカートリッジに充填された同じ水性インクを、それぞれ１００％ｄｕｔｙとなる条件下にて同一走査において吐出することで、記録できる。前記１５個のパッチにおいて、前記スリットの幅は、それぞれ、２、４、６、８、１０、１２、１４、１６、１８、２０、２２、２４、２６、２８および３０ドットとする。ここで、１ドットとは、解像度１２００ｄｐｉ×１２００ｄｐｉにおけるものであり、１／１２００インチ（２．５４／１２００ｃｍ）相当となる。ついで、前記評価用サンプルを、前記高温高湿の環境下で３日間保存する。つぎに、例えば、クオリティ・エンジニアリング・アソシエイツ（ＱＥＡ）社製のハンディ型画像評価システム「ＰＩＡＳ（登録商標）−ＩＩ」を用いて、前記スリットが白地のラインとして判定されるか否かを測定する。具体的には、前記スリットを前記画像評価システムの画面中央に配置し、下記測定条件において、前記画面の左端から右端まで前記スリットが連続した白地のラインとして判定されれば、合格とする。スリット幅の狭い前記パッチから判定していき、最初に合格となるスリット幅を求める。前記スリット幅から、下記評価基準により、前記水性インクのマイグレーションレベルを決定する。前記記録は、印字、印画および印刷等を含む。
【００１１】
＜マイグレーションレベル測定条件＞
測定ツール：「ライン分析」または「エッジ分析」
エッジ境界線閾値：７５％
（前記スリット部における反射率測定値の最大値をＲｍａｘ、前記パッチのベタ記録部における反射率測定値の最小値をＲｍｉｎ、前記スリット部における反射率測定値をＲとしたとき、｛Ｒ／（Ｒｍａｘ−Ｒｍｉｎ）｝×１００≦７５になる部分が前記画像評価システムの画面中に存在すると、前記スリットは、連続した白地のラインではないと判定される。）
Ｃｏｌｏｒ  Ｐｌａｎｅ：Ａｕｔｏ
Ｏｒｉｅｎｔａｔｉｏｎ：水平ライン
背景（Ｐｏｌａｒｉｔｙ）：暗い（Ｌｉｇｈｔ  ｏｎ  ｄａｒｋ）
【００１２】
＜マイグレーションレベル評価基準＞
レベル１：スリット幅２ドットのパッチで最初に合格となる
レベル２：スリット幅４ドットのパッチで最初に合格となる
レベル３：スリット幅６ドットのパッチで最初に合格となる
レベル４：スリット幅８ドットのパッチで最初に合格となる
レベル５：スリット幅１０ドットのパッチで最初に合格となる
レベル６：スリット幅１２ドットのパッチで最初に合格となる
レベル７：スリット幅１４ドットのパッチで最初に合格となる
レベル８：スリット幅１６ドットのパッチで最初に合格となる
レベル９：スリット幅１８ドットのパッチで最初に合格となる
レベル１０：スリット幅２０ドットのパッチで最初に合格となる
レベル１１：スリット幅２２ドットのパッチで最初に合格となる
レベル１２：スリット幅２４ドットのパッチで最初に合格となる
レベル１３：スリット幅２６ドットのパッチで最初に合格となる
レベル１４：スリット幅２８ドットのパッチで最初に合格となる
レベル１５：スリット幅３０ドットのパッチで最初に合格となる
レベル１６：スリット幅３０ドットのパッチでも合格とならない
【００１３】
本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクジェット記録用インクセット（以下、単に「インクセット」と言うことがある）を構成する二種類以上の水性インクが収容されていることを特徴とする。
【００１４】
本発明のインクジェット記録方法は、二種類以上のインクジェット記録用水性インクを用いて記録するインクジェット記録方法であって、
前記二種類以上の水性インクとして、本発明のインクセットを構成する水性インクを用いることを特徴とする。
【００１５】
本発明のインクジェット記録方法において、前記二種類以上の水性インクが、イエローインク、マゼンタインクおよびシアンインクを含み、前記イエローインク、前記マゼンタインクおよび前記シアンインクにより、トリカラーブラックを記録することが好ましい。
【００１６】
本発明のインクジェット記録用水性インクの選択方法は、インクセットを構成するインクジェット記録用水性インクの選択方法であって、前記インクセットは、二種類以上の前記水性インクを含み、前記選択方法が、前記水性インクのマイグレーションレベルを測定する測定工程；
前記測定されたマイグレーションレベル相互間の最大差が５以下となるように、前記二種類以上の水性インクを選択する選択工程；を含むことを特徴とする。
【００１７】
本発明のインクジェット記録用水性インクの選択方法では、前記測定工程において、前記マイグレーションレベルの測定に、空隙型のレジンコート層を有する光沢紙を用いてもよい。本発明によれば、前記マイグレーションレベルの測定に、特にマイグレーションを起こしやすい前記空隙型のレジンコート層を有する光沢紙を用いた場合においても、高温高湿の環境下において二次色の記録部の色合いの変化を抑制可能な水性インクを選択することができる。
【００１８】
本発明のインクセットの製造方法は、二種類以上のインクジェット記録用水性インクを含むインクセットの製造方法であって、
本発明のインクジェット記録用水性インクの選択方法により、前記マイグレーションレベル相互間の最大差が５以下となるように、前記二種類以上の水性インクを予め選択しておき、
前記選択に従って、前記二種類以上の水性インクを組み合わせることを特徴とする。
【００１９】
つぎに、本発明のインクセットについて説明する。本発明のインクセットは、二種類以上のインクジェット記録用水性インクを含む。本発明のインクセットを構成する前記水性インクは、着色剤および水を含む。前記着色剤は、特に限定されず、染料または顔料のいずれであってもよい。また、前記着色剤として、染料および顔料を混合して用いてもよい。
【００２０】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６および１９９等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２、１４２および１７３等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。これらの染料以外にも、例えば、化学式（Ａ−１）〜（Ａ−５）、化学式（Ｂ−１）〜（Ｂ−２）、化学式（Ｃ−１）〜（Ｃ−５）、化学式（Ｄ−１）〜（Ｄ−５）および化学式（Ｅ−１）〜（Ｅ−５）で表される化合物等も前記染料として好適に使用できる。化学式（Ａ−１）〜（Ａ−５）および化学式（Ｄ−１）〜（Ｄ−５）において、Ｃ４Ｈ９（ｔ）は、ｔ−ブチル基を表す。化学式（Ｅ−１）〜（Ｅ−５）において、Ｐｃ（Ｃｕ）は、一般式（Ｐｃ）で表される銅フタロシアニン核であり、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在する。
【００２１】
【化１】
0005605671.tif 000002
【化２】
0005605671.tif 000003
【化３】
0005605671.tif 000004
【化４】
0005605671.tif 000005
【化５】
0005605671.tif 000006
【化６】
0005605671.tif 000007
【化７】
0005605671.tif 000008
【化８】
0005605671.tif 000009
【化９】
0005605671.tif 000010
【化１０】
0005605671.tif 000011
【化１１】
0005605671.tif 000012
【化１２】
0005605671.tif 000013
【化１３】
0005605671.tif 000014
【化１４】
0005605671.tif 000015
【化１５】
0005605671.tif 000016
【化１６】
0005605671.tif 000017
【化１７】
0005605671.tif 000018
【化１８】
0005605671.tif 000019
【化１９】
0005605671.tif 000020
【化２０】
0005605671.tif 000021
【化２１】
0005605671.tif 000022
【化２２】
0005605671.tif 000023
【化２３】
0005605671.tif 000024
【００２２】
前記水性インク全量に対する前記染料の配合量（染料割合）は、特に限定されず、例えば、０．１重量％〜２０重量％であり、好ましくは、１重量％〜１０重量％であり、より好ましくは、２重量％〜８重量％である。前記染料は、１種類を単独で用いてもよいし、２種類以上を併用してもよい。
【００２３】
前記顔料は、特に限定されず、例えば、カーボンブラック、無機顔料および有機顔料等が使用できる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これら顔料としては、例えば、Ｃ．Ｉ．ピグメントブラック１、６および７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００２４】
前記水性インク全量に対する前記顔料の配合量（顔料割合）は、特に限定されず、例えば、所望の光学濃度または色彩等により、適宜決定できる。前記顔料割合は、例えば、０．１重量％〜２０重量％であり、好ましくは、０．３重量％〜１５重量％であり、より好ましくは、１重量％〜１０重量％であり、さらに好ましくは、２重量％〜８重量％である。前記顔料は、１種類を単独で用いてもよいし、２種類以上を併用してもよい。
【００２５】
前記水は、イオン交換水または純水であることが好ましい。前記水性インク全量に対する前記水の配合量（水割合）は、所望のインク特性等に応じて適宜決定される。前記水割合は、例えば、他の成分の残部としてもよい。
【００２６】
前記水性インクは、さらに、インクジェットヘッドのノズル部におけるインクの乾燥を防止する湿潤剤および被記録媒体上での乾燥速度を調整する浸透剤を含むことができる。
【００２７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００２８】
前記水性インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【００２９】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【００３０】
前記水性インク全量に対する前記浸透剤の配合量（浸透剤割合）は、特に限定されず、例えば、０重量％〜２０重量％である。前記浸透剤割合を前記範囲とすることで、前記水性インクの記録用紙等の被記録媒体への浸透性を、より好適なものとできる。前記浸透剤割合は、好ましくは、０．１重量％〜１５重量％であり、より好ましくは、０．５重量％〜１０重量％である。
【００３１】
前記水性インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、特に限定されず、例えば、ポリビニルアルコール、セルロース、水溶性樹脂等があげられる。
【００３２】
前記水性インクは、例えば、着色剤および水と、必要に応じて他の添加成分とを、従来公知の方法で均一に混合し、フィルタ等で不溶解物を除去することにより調製できる。
【００３３】
本発明のインクセットは、二種類以上の前記水性インクにより構成される。前述のとおり、本発明のインクセットでは、前記二種類以上の水性インクのマイグレーションレベル相互間の最大差が、５以下である。このため、本発明のインクセットによれば、高温高湿の環境下における二次色の記録部の色合いの変化を抑制可能である。前記マイグレーションレベルの測定方法は、前述のとおりである。
【００３４】
つぎに、本発明のインクジェット記録装置について説明する。前述のとおり、本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクセットを構成する水性インクが収容されていることを特徴とする。これを除き、本発明のインクジェット記録装置の構成は、例えば、従来公知のインクジェット記録装置と同様であってもよい。
【００３５】
前記インク収容部としては、例えば、インクカートリッジ等があげられる。前記インクカートリッジの本体としては、例えば、従来公知のものを使用できる。
【００３６】
図２に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【００３７】
前記４つのインクカートリッジ２は、イエロー、マゼンタ、シアンおよびブラックの４色の水性インクを、それぞれ１色ずつ含む。前記インクジェットヘッド３は、記録用紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００３８】
前記駆動ユニット６は、前記キャリッジ５を直線方向に往復移動させる。前記駆動ユニット６としては、例えば、従来公知のものを使用できる（例えば、特開２００８−２４６８２１号公報参照）。
【００３９】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。図２においては、前記被記録媒体Ｐの給紙機構及び排紙機構の図示を省略している。
【００４０】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００４１】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図２において、キャップ１８は、インクの乾燥を防止するため、記録が終了すると前記リセット位置に戻される前記インクジェットヘッド３の複数のノズルを覆うものである。
【００４２】
本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００４３】
つぎに、本発明のインクジェット記録方法について説明する。前述のとおり、本発明のインクジェット記録方法は、二種類以上のインクジェット記録用水性インクを用いて記録するインクジェット記録方法であって、前記二種類以上の水性インクとして、本発明のインクセットを構成する水性インクを用いることを特徴とする。本発明のインクジェット記録方法は、例えば、図２に示したような本発明のインクジェット記録装置を用いて実施可能である。本発明のインクジェット記録方法のその他の条件は、本発明のインクセットと同様である。
【００４４】
つぎに、本発明のインクジェット記録用水性インクの選択方法について説明する。前述のとおり、本発明のインクジェット記録用水性インクの選択方法は、インクセットを構成するインクジェット記録用水性インクの選択方法であって、前記インクセットは、二種類以上の前記水性インクを含み、前記選択方法が、前記水性インクのマイグレーションレベルを測定する測定工程；前記測定されたマイグレーションレベル相互間の最大差が５以下となるように、前記二種類以上の水性インクを選択する選択工程；を含むことを特徴とする。従来においては、マイグレーションレベルそのものを数値化して評価した水性インクがなかった。このため、高温高湿の環境下においても、二次色の記録部の色合いの変化を抑制可能な二種類以上の水性インクを選択するには、試行錯誤によるしかなかった。これに対し、本発明のインクジェット記録用水性インクの選択方法によれば、水性インクのマイグレーションレベルを測定し、その相互間の最大差が５以下になるように二種類以上の水性インクを選択することで、高温高湿の環境下においても、二次色の記録部の色合いの変化を抑制可能な水性インクを極めて容易に選択することができる。
【００４５】
前記選択方法において、前記測定工程の前記マイグレーションレベルの測定に用いる被記録媒体としては、例えば、記録用紙があげられる。前記記録用紙としては、特に制限されず、従来公知の記録用紙が使用できる。具体的には、例えば、一般に市販されている光沢紙が好適に使用される。前記光沢紙としては、例えば、空隙型のレジンコート層を有する光沢紙、膨潤型のレジンコート層を有する光沢紙、キャスト光沢紙等があげられる。前記記録用紙としては、さらに、一般に市販されている普通紙、マット紙等も使用できる。本発明の好ましい態様として、空隙型のレジンコート層を有する光沢紙を用いた場合には、より多種の被記録媒体に対して前記二次色の記録部の色合いの変化を抑制可能なインクセットを構成することができる。前記空隙型のレジンコート層を有する光沢紙としては、例えば、ブラザー工業（株）製の「専用紙（写真光沢紙）（ＢＰ−７１）」、セイコーエプソン（株）製の「写真用紙クリスピア＜高光沢＞」および「写真用紙＜光沢紙＞」等があげられる。本発明のインクジェット記録用水性インクの選択方法のその他の条件は、本発明のインクセットと同様である。
【００４６】
つぎに、本発明のインクセットの製造方法について説明する。前述のとおり、本発明のインクセットの製造方法は、二種類以上のインクジェット記録用水性インクを含むインクセットの製造方法であって、本発明のインクジェット記録用水性インクの選択方法により、前記マイグレーションレベル相互間の最大差が５以下となるように、前記二種類以上の水性インクを予め選択しておき、前記選択に従って、前記二種類以上の水性インクを組み合わせることを特徴とする。本発明のインクセットの製造方法によれば、本発明のインクジェット記録用水性インクの選択方法により二種類以上の水性インクを予め選択しておくことで、高温高湿の環境下においても、二次色の記録部の色合いの変化を抑制可能なインクセットを極めて容易に得ることができる。本発明のインクセットの製造方法におけるその他の条件は、本発明のインクセットと同様である。
【実施例】
【００４７】
つぎに、本発明の実施例について比較例と併せて説明する。なお、本発明は、下記の実施例および比較例によって限定および制限されない。
【００４８】
（イエローインクの調製およびマイグレーションレベルの測定）
インク組成成分（表１）を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、イエローインクＹ−１〜Ｙ−１１を得た。ついで、ブラザー工業（株）製のインクジェットプリンタ搭載デジタル複合機ＤＣＰ−３８５Ｃを使用して、各イエローインクを用いて空隙型のレジンコート層を有する光沢紙上へ、ベタ画像を２分割するスリットの入った１５個のパッチを記録することで、前記評価用サンプルを作製した。前記空隙型のレジンコート層を有する光沢紙には、ブラザー工業（株）製の「専用紙（写真光沢紙）（ＢＰ−７１）」（光沢紙Ａ）、セイコーエプソン（株）製の「写真用紙クリスピア＜高光沢＞」（光沢紙Ｂ）および「写真用紙＜光沢紙＞」（光沢紙Ｃ）を用いた。つぎに、前記評価用サンプルを用いて、各イエローインクのマイグレーションレベルを測定した。なお、表１において、染料（Ａ−１）〜（Ａ−５）は、それぞれ、前記化学式（Ａ−１）〜（Ａ−５）で表される化合物である。
【００４９】
（マゼンタインクの調製およびマイグレーションレベルの測定）
インク組成成分（表２）を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、マゼンタインクＭ−１〜Ｍ−１２を得た。つぎに、各イエローインクと同様にして、各マゼンタインクのマイグレーションレベルを測定した。なお、表２において、染料（Ｂ−１）〜（Ｂ−２）、染料（Ｃ−１）〜（Ｃ−５）および染料（Ｄ−１）〜（Ｄ−５）は、それぞれ、前記化学式（Ｂ−１）〜（Ｂ−２）、前記化学式（Ｃ−１）〜（Ｃ−５）および前記化学式（Ｄ−１）〜（Ｄ−５）で表される化合物である。
【００５０】
（シアンインクの調製およびマイグレーションレベルの測定）
インク組成成分（表３）を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、シアンインクＣ−１〜Ｃ−６を得た。つぎに、各イエローインクと同様にして、各シアンインクのマイグレーションレベルを測定した。なお、表３において、染料（Ｅ−１）〜（Ｅ−５）は、それぞれ、前記化学式（Ｅ−１）〜（Ｅ−５）で表される化合物である。
【００５１】
【表１】
0005605671.tif 000025
【表２】
0005605671.tif 000026
【表３】
0005605671.tif 000027
【００５２】
［実施例１］
光沢紙Ａにおいて、マイグレーションレベル相互間の最大差が３となるように、前記イエローインクＹ−１、前記マゼンタインクＭ−１および前記シアンインクＣ−１を組み合わせることで、インクセットを得た。
【００５３】
［実施例２］〜［実施例１２］
実施例１と同様にして、表４に記載の通りの光沢紙、マイグレーションレベル相互間の最大値、前記イエローインク、前記マゼンタインクおよび前記シアンインクを組み合わせることで、インクセットを得た。
【００５４】
［比較例１］
前記イエローインクＹ−１、前記マゼンタインクＭ−１および前記シアンインクＣ−５を組み合わせることで、インクセットを得た。光沢紙Ａにおいて、前記インクセットを構成する水性インクのマイグレーションレベル相互間の最大差は、１１であった。
【００５５】
［比較例２］〜［比較例１２］
比較例１と同様にして、表５に記載のように、前記イエローインク、前記マゼンタインクおよび前記シアンインクを組み合わせることで、インクセットを得た。なお、記録に使用した光沢紙も、表５に記載した通りである。
【００５６】
＜色差（ΔＥ）評価＞
前記インクジェットプリンタ搭載デジタル複合機を使用して、実施例および比較例のインクセットを構成する３色の水性インク（イエローインク：マゼンタインク：シアンインク（体積比）＝１：１：１）を用いて、実施例および比較例で選択した光沢紙上に記録したトリカラーブラックパッチについて、色差（ΔＥ）を、下記の方法により算出した。
【００５７】
常温常湿（温度２３℃、相対湿度５０％）の環境下で前記トリカラーブラックパッチを記録し、前記記録時と同じ環境下で２４時間保存して、常温常湿環境サンプルを得た。また、高温高湿（温度３３℃、相対湿度８０％）の環境下で前記トリカラーブラックパッチを記録し、前記記録時と同じ環境下で２４時間保存して、高温高湿環境サンプルを得た。前記常温常湿環境サンプルおよび前記高温高湿環境サンプルのトリカラーブラックパッチのＬ＊、ａ＊、ｂ＊を、Ｇｒｅｔａｇ  Ｍａｃｂｅｔｈ社製の分光測色計Ｓｐｅｃｔｒｏｌｉｎｏ（測定視野：２°；白色基準：Ａｂｓ（絶対白色）；光源：Ｄ５０；濃度基準：ＡＮＳＩ  Ｔ）により測定し、下記式により常温常湿および高温高湿の２環境間における色差（ΔＥ）を算出した。前記色差（ΔＥ）を、下記評価基準に従って評価した。
ΔＥ＝｛（Ｌ＊１−Ｌ＊２）２＋（ａ＊１−ａ＊２）２＋（ｂ＊１−ｂ＊２）｝１／２
Ｌ＊１：前記常温常湿環境サンプルのトリカラーブラックパッチのＬ＊値
Ｌ＊２：前記高温高湿環境サンプルのトリカラーブラックパッチのＬ＊値
ａ＊１：前記常温常湿環境サンプルのトリカラーブラックパッチのａ＊値
ａ＊２：前記高温高湿環境サンプルのトリカラーブラックパッチのａ＊値
ｂ＊１：前記常温常湿環境サンプルのトリカラーブラックパッチのｂ＊値
ｂ＊２：前記高温高湿環境サンプルのトリカラーブラックパッチのｂ＊値
【００５８】
色差（ΔＥ）評価  評価基準
Ｇ  ：前記色差（ΔＥ）が、１０未満
ＮＧ：前記色差（ΔＥ）が、１０以上
【００５９】
実施例１〜１２のインクセットの色差（ΔＥ）評価結果を、表４に示す。また、比較例１〜１２のインクセットの色差（ΔＥ）評価結果を、表５に示す。
【００６０】
【表４】
0005605671.tif 000028
【００６１】
【表５】
0005605671.tif 000029
【００６２】
表４に示すとおり、実施例１〜１２のインクセットでは、常温常湿および高温高湿の２環境間における色差（ΔＥ）が１０未満と小さく、高温高湿の環境下におけるトリカラーブラックパッチの色合いの変化が抑制されていた。一方、表５に示すとおり、比較例１〜１２のインクセットでは、常温常湿および高温高湿の２環境間における色差（ΔＥ）が１０以上と大きく、高温高湿の環境下においてトリカラーブラックパッチに色合いの変化が生じていた。
【産業上の利用可能性】
【００６３】
以上のように、本発明のインクセットは、二種類以上の水性インクのマイグレーションレベル相互間の差に着目することで、高温高湿の環境下においても、二次色の記録部の色合いの変化を抑制可能なものである。本発明のインクセットの用途は、特に限定されず、各種のインクジェット記録に広く適用可能である。
【符号の説明】
【００６４】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0005605671.tif 000030
【図２】
0005605671.tif 000031